(57)【要約】【課題】安全カバーロック機構を簡単に形成し、且つ上死点ロックの解除も良好な操作性で行えるようにする。【解決手段】上部テーブル付卓上丸鋸１において、本体７の上死点で鋸刃８を覆うカバー位置にある外カバー１５Ｂと係止して本体７の下降を規制するロックレバー３１を備えた安全カバーロック機構３０に、ロックレバー３１に連結されて操作プレート４４をハンドル１４と平行且つ後方に隣接させ、操作プレート４４を手で握る操作でロックレバー３１を係止位置から係止解除位置へ移動させる１つの操作レバー３２を設けた。【選択図】図３
2012076192.tif 000002
【特許請求の範囲】
【請求項１】
ベース上に、回転駆動する切断刃を備えた本体を上下動可能に設けると共に、前記本体に、前記本体の上死点で前記切断刃を覆うカバー位置にあり、前記本体の下降に伴って前記ベース側との間に設けたリンク機構によって前記切断刃の開放側へ回転動作する安全カバーを設けて、前記本体の前方に、把持部が鉛直面内で直線状となる下降操作用のハンドルを設ける一方、
前記本体に、前記上死点で前記カバー位置の前記安全カバーに係止してその回転動作を規制する係止位置と当該係止を解除する係止解除位置との間を移動可能で、且つ付勢手段によって前記係止位置へ付勢されるロック部材を含む安全カバーロック機構を備えた切断機であって、
前記安全カバーロック機構に、前記ロック部材に連結されて操作端部を前記把持部と平行且つ後方に隣接させ、前記操作端部を手で握る操作で前記ロック部材を前記係止位置から前記係止解除位置へ移動させる１つの操作部材を設けたことを特徴とする切断機。
【請求項２】
前記操作部材は、中間部が前記把持部と平行な軸を中心に前記本体へ回転可能に設けられ、一端が前記軸からの偏心位置で前記ロック部材に連結される揺動端部に、他端が前記軸からの偏心位置で前記把持部と平行となる前記操作端部にそれぞれ形成されて、前記操作端部を前記把持部と共に握り込む操作で前記揺動端部を揺動させて前記ロック部材を前記係止解除位置へ移動させることを特徴とする請求項１に記載の切断機。
【請求項３】
前記ロック部材を、前記係止位置から倒伏姿勢となる前記係止解除位置へ回転移動するものとして、前記操作部材の前記揺動端部と、前記ロック部材の回転中心からの偏心位置とを、何れか一方に設けたピンを他方に設けた透孔に貫通させることで連結し、前記透孔を、前記係止解除位置から前記ロック部材がさらに倒伏姿勢となる倒伏位置への回転を許容する円弧状に形成する一方、
前記安全カバーに、前記切断刃の開放側への回転動作に伴って前記ロック部材と当接して前記倒伏位置へ回転させる係止部を設けたことを特徴とする請求項２に記載の切断機。
【発明の詳細な説明】
【技術分野】
【０００１】
本発明は、回転する切断刃を備えた本体を下降させて被切断材を切断する卓上丸鋸盤等の切断機に関する。
【背景技術】
【０００２】
卓上丸鋸盤等の切断機においては、ベースの上方に、モータ駆動で回転する切断刃を備えた本体を上下動可能に設けて、本体を下降させてベース上に載置した被切断材を切断可能となっている。この本体には、本体の上死点で切断刃を覆う安全カバーが切断刃の周方向へ回転可能に設けられている。この安全カバーは、本体を支持するアーム等のベース側との間に架設したリンク機構等により、本体の下降に連れて切断刃の開放側へ回転し、本体の下死点で切断刃の下側を開放するようになっている。
この安全カバーの動作を利用して、本体が偶発的に下降することがないように、本体を常態では上死点でロックする安全カバーロック機構が付与されている。この安全カバーロック機構は、特許文献１，２に示すように、本体の上死点で安全カバーに係止して安全カバーの開放側への回転を規制する係止位置と、当該係止を解除する係止解除位置との間を移動可能なロック部材と、ロック部材を係止解除位置に付勢する付勢手段と、ロック部材に連結されてロック部材を任意に係止解除位置へ移動させる操作部材とを備えたものとなっている。
【先行技術文献】
【特許文献】
【０００３】
【特許文献１】特開平８−２１６１１２号公報
【特許文献２】欧州特許出願公開第１８５２２２７号明細書
【発明の概要】
【発明が解決しようとする課題】
【０００４】
しかし、特許文献１の安全カバーロック機構では、操作部材となるレバーの係止解除位置への操作方向が、本体を下降させるハンドルと異なる方向になっているため、ハンドルを把持して本体を下降させる一連の操作と別にレバーを操作する必要があり、上死点ロックの解除に係る操作性が悪くなっている。また、特許文献２の安全カバーロック機構では、操作部材が３つの部材によって構成されており、部品点数が多くなってコストアップを招いてしまう。
【０００５】
そこで、本発明は、安全カバーロック機構を簡単に形成でき、且つ上死点ロックの解除も良好な操作性で行うことができる切断機を提供することを目的としたものである。
【課題を解決するための手段】
【０００６】
上記目的を達成するために、請求項１に記載の発明は、安全カバーロック機構に、ロック部材に連結されて操作端部をハンドルの把持部と平行且つ後方に隣接させ、操作端部を手で握る操作でロック部材を係止位置から係止解除位置へ移動させる１つの操作部材を設けたことを特徴とするものである。
請求項２に記載の発明は、請求項１の構成において、操作部材は、中間部が把持部と平行な軸を中心に本体へ回転可能に設けられ、一端が軸からの偏心位置でロック部材に連結される揺動端部に、他端が軸からの偏心位置で把持部と平行となる操作端部にそれぞれ形成されて、操作端部を把持部と共に握り込む操作で揺動端部を揺動させてロック部材を係止解除位置へ移動させることを特徴とするものである。
請求項３に記載の発明は、請求項２の構成において、ロック部材を、係止位置から倒伏姿勢となる係止解除位置へ回転移動するものとして、操作部材の揺動端部と、ロック部材の回転中心からの偏心位置とを、何れか一方に設けたピンを他方に設けた透孔に貫通させることで連結し、透孔を、係止解除位置からロック部材がさらに倒伏姿勢となる倒伏位置への回転を許容する円弧状に形成する一方、安全カバーに、切断刃の開放側への回転動作に伴ってロック部材と当接して倒伏位置へ回転させる係止部を設けたことを特徴とするものである。
【発明の効果】
【０００７】
請求項１に記載の発明によれば、操作部材を１つとしたことで安全カバーロック機構を簡単に形成できる。また、操作端部を手で握る操作で操作部材を係止解除位置へ移動させることができるため、ハンドルを把持して本体を下降させる一連の操作で上死点ロックの解除を良好な操作性で行うことができる。
請求項２に記載の発明によれば、請求項１の効果に加えて、操作部材が簡単且つコンパクトに形成されると共に、操作端部によってロック部材を確実に移動操作可能となる。
請求項３に記載の発明によれば、請求項２の効果に加えて、本体の下降位置で操作部材の操作端部の握り込みを解除しても、ロック部材は係止部によって倒伏位置を維持するため、ロック部材がベース上の切断領域に突出して被切断材に当接したり切断の邪魔になったりすることがない。
【図面の簡単な説明】
【０００８】
【図１】上部テーブル付卓上丸鋸の斜視図（マイタソーモード）である。
【図２】上部テーブル付卓上丸鋸の斜視図（テーブルソーモード）である。
【図３】安全カバーロック機構の正面図である。
【図４】安全カバーロック機構の側面図である。
【図５】安全カバーロック機構の平面図である。
【図６】安全カバーロック機構の動作を示す説明図である。
【発明を実施するための形態】
【０００９】
以下、本発明の実施の形態を図面に基づいて説明する。
図１，２に、切断機の一例である上部テーブル付卓上丸鋸を示す。この上部テーブル付卓上丸鋸１は、ベース２の中央に、平面視が円形状のターンテーブル３を水平回転可能に備え、ターンテーブル３の後端（図１，２の右下側を前方とする。）に設けた連結部４に、左右方向へ傾動可能且つ図示しないレバーによって任意の角度で固定可能なアーム５を立設して、アーム５の上端に設けた支軸６によって本体７を上下動可能に支持している。本体７は、モータ駆動で回転する円盤状の切断刃としての鋸刃８を備えて図示しないバネによって図１の上死点に付勢されている。また、本体７には、鋸刃８の上部を覆うブレードケース９が設けられ、ブレードケース９の右側面には、モータ１０が横向きに連結されて、その前方に突設した操作台１１に運転スイッチ１２と停止スイッチ１３とが設けられて、操作台１１の右側面に、直線状のハンドル１４が横向きに連設されている。
【００１０】
ブレードケース９には、鋸刃８の下側を覆う安全カバー１５が設けられている。この安全カバー１５は、側面視扇状を有する内カバー１５Ａと、同じく側面視扇状で内カバー１５Ａよりも一回り大きい外カバー１５Ｂとからなり、何れも支持ピン１６を中心に回転可能に設けられている。この安全カバー１５は、本体７の上死点では図１のように内カバー１５Ａと外カバー１５Ｂとが周方向に並んで鋸刃８を覆うカバー位置にあり、ここから本体７を下降させると、アーム５の前面との間に架設されたリンク１７によって外カバー１５Ｂが前方側へ回転して内カバー１５Ａに重なる位置で内カバー１５Ａに係止して一体に回転させ、本体７の下死点では、ブレードケース９の前方に位置して鋸刃８の下縁部を露出させるようになっている。
【００１１】
また、ブレードケース９には、本体７の所定の下降位置で水平姿勢となる平面視矩形状の上部テーブル１８が設けられている。この上部テーブル１８は、鋸刃８の上縁部が突出するスリット１９を備えると共に、当該上縁部を常態で覆う上部カバー２０と、被切断材を鋸刃８と平行にガイドする平行定規２１とを備えている。
【００１２】
一方、ベース２は、ターンテーブル３の左右に載置部２２，２２を備え、その載置部２２，２２間に、ターンテーブル３上を左右方向に横切るガイドフェンス２３が架設されている。ターンテーブル３の前面中央には、直径方向に延長部２４が突設され、その延長部２４とターンテーブル３との上面には、左右一対の刃口板２５，２５が設けられて、両刃口板２５，２５の間に、本体７を下降させた際に鋸刃８が進入するスリット２６が、ターンテーブル３の直径方向に形成されている。２７は、延長部２４の前端に設けられた回転操作用のグリップである。
【００１３】
そして、本体７には、上死点で本体７の下降を規制する安全カバーロック機構３０が設けられている。この安全カバーロック機構３０は、図３〜５に示すように、操作台１１の左側面（ブレードケース９側の側面）に設けられるロック部材としてのロックレバー３１と、そのロックレバー３１を回転動作させる操作部材としての操作レバー３２とを備えている。
まず、ロックレバー３１は、下方へ行くに従って先細りとなる扇状の板体で、操作台１１の側面に突設された下ボス３３に左方向から螺合されるネジ３４によって中間部が回転可能に軸着されている。ロックレバー３１の下端には、ブレードケース９側へ突設する軸３５が固着されている。また、ロックレバー３１の上端には、ネジ３４を中心とする円弧状軌跡で長孔３６が穿設されて、長孔３６を貫通するネジ３７が、下ボス３３の上側に突設された上ボス３８に螺合されている。
【００１４】
よって、ロックレバー３１は、操作台１１の側面と平行な面内で、長孔３６内をネジ３７が相対的に摺動する角度で前後に回転可能となるが、下ボス３３には、一端がロックレバー３１に、他端が上ボス３８にそれぞれ係止される付勢手段としてのトーションスプリング３９が外装されていることから、常態でのロックレバー３１は、ネジ３７が長孔３６の前端に位置して略起立姿勢となる図３，４の第１の回転位置（係止位置）に付勢される。この第１の回転位置では、下端の軸３５が、ブレードケース９の右側面側において外カバー１５Ｂの上端縁に設けた係止凹部４０に係止するようになっている。
【００１５】
次に、操作レバー３２は、操作台１１の上面に設けた保持筒４１によって回転可能に支持される左右方向の中間軸４２と、その中間軸４２の左端にネジ４５によって直交状且つ下向きに固定され、下端がロックレバー３１に連結される揺動端部としての揺動プレート４３と、上端が中間軸４２の右側上面にネジ止めされて揺動プレート４３と平行且つ下向きに折曲され、下端がハンドル１４の後側に隣接してハンドル１４と平行に右側へ延びる操作端部としての操作プレート４４とから形成されている。４６は、操作プレート４４の端部に外装されたゴムカバーである。
【００１６】
このうち揺動プレート４３の下端は、ロックレバー３１において下ボス３３と長孔３６との間に形成された透孔４７を遊挿するピン４８によってロックレバー３１と連結されている。この透孔４７は、ネジ３４を中心とした円弧状で、ロックレバー３１の第１の回転位置では、ネジ３４よりも後方にあって前端が後端よりも高くなる向きとなっている。
【００１７】
また、中間軸４２には、一端が保持筒４１側の係止片４９に、他端が揺動プレート４３にそれぞれ係止されるトーションスプリング５０が外装されて、操作レバー３２を図３の右回転方向（揺動プレート４３を後方へ揺動させる方向）へ付勢して、揺動プレート４３のピン４８を透孔４７の上側の内縁に当接させている。
【００１８】
但し、トーションスプリング５０の付勢に抗して操作レバー３２を左回転方向（揺動プレート４３を前方へ揺動させる方向）へ回転させると、ピン４８が透孔４７の前端に当接してロックレバー３１をトーションスプリング３９の付勢に抗して右回転させ、図６に実線で示すように、下端の軸３５が外カバー１５Ｂの係止凹部４０から上側後方へ離れる第２の回転位置（係止解除位置）に位置させることができる。
【００１９】
一方、外カバー１５Ｂにおけるロックレバー３１側の外面において、カバー位置で係止凹部４０よりも下方でやや前方となる位置には、係止部としての係止突起５１が突設されている。この係止突起５１は、外カバー１５Ｂの前方への回転に伴う移動軌跡がロックレバー３１のネジ３４と軸３５との間に位置するもので、本体７が下降して外カバー１５Ｂが前方側へ回転した状態では、図６に二点鎖線で示すように、係止突起５１がロックレバー３１の下縁に当接してロックレバー３１を押し上げて、第２の回転位置よりもさらに右回転して倒伏する第３の回転位置（倒伏位置）へ回転させるようになっている。
【００２０】
以上の如く構成された上部テーブル付卓上丸鋸１においては、図１の本体７の上死点では、前述のように第１の回転位置に付勢されるロックレバー３１の下端の軸３５が、カバー位置にある安全カバー１５の外カバー１５Ｂの係止凹部４０に係止している。よって、この状態で本体７を直接押し下げたり、ハンドル１４だけを把持して本体７を下降させようとしても、外カバー１５Ｂの前方側への回転がロックレバー３１によって規制されることで、本体７の下降がリンク１７によって阻止される格好となる。すなわち、本体７は上死点でロックされる。
【００２１】
ここからマイタソーモードで使用する場合は、まず被切断材をガイドフェンス２３に押し当ててターンテーブル３上で位置決めする。次に、運転スイッチ１２をＯＮしてモータ１０を駆動させて鋸刃８を回転させ、ここからハンドル１４を把持して本体７を下降させることになるが、このときハンドル１４を把持する手で同時に操作レバー３２の操作プレート４４を握り込む。すると、操作プレート４４がハンドル１４側へ引かれることで操作レバー３２がトーションスプリング５０の付勢に抗して左回転する。よって、揺動プレート４３が前方へ揺動し、ピン４８を透孔４７の前端に当接させてそのままロックレバー３１をトーションスプリング３９の付勢に抗して右回転させる。
【００２２】
このロックレバー３１の右回転により、ロックレバー３１は、図６に実線で示すように、軸３５が係止凹部４０から離れる係止解除位置に倒伏する。よって、上死点ロックが解除され、そのままハンドル１４を介して本体７を下降させることができる。このとき外カバー１５Ｂもリンク１７によって本体７の下降に連れて前側へ回転し、内カバー１５Ａを追従させて鋸刃８の下縁を露出させるため、ターンテーブル３上の被切断材を切断することができる。
【００２３】
本体７の下降位置では、前述のように外カバー１５Ｂの係止突起５１がロックレバー３１の下縁に当接して、図６に二点鎖線で示すように、ロックレバー３１を倒伏位置まで押し上げる。ここで操作プレート４４の握り込みを解除すると、操作レバー３２が再びトーションスプリング５０の付勢によって左回転し、後方へ揺動した揺動プレート４３と共にピン４８が透孔４７の後端へ移動する。こうして操作レバー３２は元の位置に復帰するが、ロックレバー３１の倒伏位置は変わらないため、ロックレバー３１が被切断材に当接したりすることがない。
【００２４】
切断終了後、本体７の押し下げを解除すると、本体７は支軸６に設けたバネによって上昇し、外カバー１５Ｂもリンク１７の移動に追従して下側へ回転し、内カバー１５Ａを追従させる。そして、本体７が上死点へ復帰すると、両カバー１５Ａ，１５Ｂがカバー位置へ復帰すると共に、係止突起５１による押し上げが解除されたロックレバー３１もトーションスプリング３９の付勢によって第１の回転位置に復帰する。よって、再び軸３５が外カバー１５Ｂの係止凹部４０に係止して本体７を上死点でロックすることになる。
【００２５】
なお、テーブルソーモードで使用する場合は、本体７を所定位置まで下降させてロックすると、上部テーブル１８が水平姿勢となる。この状態で運転スイッチ１２をＯＮして鋸刃８を回転させた状態で、被切断材を上部テーブル１８上で平行定規２１を利用して前方から鋸刃８に向けてスライドさせると、スリット１９から上部テーブル１８上に突出する鋸刃８によって被切断材が切断される。
【００２６】
このように、上記形態の上部テーブル付卓上丸鋸１によれば、安全カバーロック機構３０に、ロックレバー３１に連結されて操作プレート４４をハンドル１４と平行且つ後方に隣接させ、操作プレート４４を手で握る操作でロックレバー３１を係止位置から係止解除位置へ移動させる１つの操作レバー３２を設けたことで、安全カバーロック機構３０を簡単に形成できる。また、操作プレート４４をハンドル１４へ握り込む操作で操作レバー３２を係止解除位置へ移動させることができるため、ハンドル１４を把持して本体７を下降させる一連の操作で上死点ロックの解除を良好な操作性で行うことができる。
【００２７】
特にここでは、操作レバー３２は、中間部４２がハンドル１４と平行な軸を中心に本体７へ回転可能に設けられて、一端が中間部４２の軸からの偏心位置でロックレバー３１に連結される揺動プレート４３に、他端が中間部４２の軸からの偏心位置でハンドル１４と平行となる操作プレート４４にそれぞれ形成されて、操作プレート４４をハンドル１４と共に握り込む操作で揺動プレート４３を揺動させてロックレバー３１を係止解除位置へ移動させるようにしているので、操作台１１に沿って操作部材が簡単且つコンパクトに形成されると共に、操作プレート４４によってロックレバー３１を確実に移動操作可能となる。
【００２８】
さらに、ロックレバー３１を、係止位置から倒伏姿勢となる係止解除位置へ回転移動するものとして、操作レバー３２の揺動プレート４３と、ロックレバー３１の回転中心からの偏心位置とを、揺動プレート４３に設けたピン４８をロックレバー３１に設けた透孔４７に貫通させることで連結し、透孔４７を、係止解除位置からロックレバー３１がさらに倒伏姿勢となる倒伏位置への回転を許容する円弧状に形成する一方、安全カバー１５の外カバー１５Ｂに、鋸刃８の開放側への回転動作に伴ってロックレバー３１と当接して倒伏位置へ回転させる係止突起５１を設けたことで、本体７の下降位置で操作レバー３２の操作プレート４４の握り込みを解除しても、ロックレバー３１は係止突起５１によって倒伏位置を維持するため、ロックレバー３１がターンテーブル７上の切断領域に突出して被切断材に当接したり切断の邪魔になったりすることがない。
【００２９】
なお、上記形態の安全カバーロック機構では、ロックレバーに円弧状の透孔を、操作レバーの揺動プレートにピンをそれぞれ設けているが、互いに逆側、すなわちロック部材にピンを、操作部材に円弧状の透孔をそれぞれ設けることで、ロック部材の倒伏位置への回転を許容するようにしてもよい。但し、本体の下降位置でロック部材が邪魔にならなければ、透孔を円弧状にせずロック部材の倒伏位置への回転を行えないようにすることもできる。
また、上記形態では操作レバーの中間軸、揺動プレート、操作プレートをそれぞれ別体で作成して組み付けているが、一本の板状体や棒状体を折曲して形成することは勿論可能である。ロック部材や操作部材の付勢手段もこれに限らず、引張バネや圧縮バネ、ウエイト等の他の手段も採用できる。操作部材側の付勢手段は省略してもよい。
【００３０】
さらに、安全カバーへの係止も、軸に代えてロック部材の端部に形成した折曲片を利用したり、安全カバー側も係止凹部に代えて突起を突設したり等、カバー位置での互いの係止が可能であれば適宜変更可能である。安全カバー自体も内外カバー一対からなる形態に限らない。
加えて、上記形態では横向きのハンドルに隣接して操作部材の操作端部を設けているが、縦向きのハンドルであっても操作端部を平行且つ後方に隣接させれば同様の効果が得られる。この場合は操作部材を、例えば中央を軸着した直線状の部材によって形成し、上側の操作端部をハンドルに沿って握り込むことで、下側の揺動端部を前後に揺動させてロック部材を移動させることが考えられる。なお、ハンドルは、操作端部が隣接する鉛直面内で直線状の把持部があれば、全体が直線状の形態に限らず、Ｄ字状等の形態であってもよい。
【００３１】
一方、上記形態では、操作部材の操作によってロック部材を回転させて係止位置と係止解除位置に移動させるようにしているが、ロック部材を係止位置と係止解除位置との間でスライド可能に設けて、操作部材の操作によってロック部材を直線状にスライドさせて上死点ロックとその解除とを選択できるようにしても差し支えない。従って、ロック部材の構造によっては操作部材を前方へ握り込む操作に限らず、ハンドルを握る手で操作部材を下方へ押し下げるような変更も可能である。
そして、切断機も、上部テーブル付卓上丸鋸に限らず、上部テーブルがない卓上丸鋸盤や、本体が前後へスライドするスライド式卓上丸鋸盤等、本体の上死点でカバー位置にあり、本体の下降に伴ってリンク機構によって開放側へ回転動作する安全カバーを備えて本体の前方に把持部が鉛直面内で直線状となる下降操作用のハンドルを備えた切断機であれば、本発明は適用可能である。
【符号の説明】
【００３２】
１・・上部テーブル付卓上丸鋸、２・・ベース、３・ターンテーブル・、６・・支軸、７・・本体、８・・鋸刃、９・・ブレードケース、１０・・モータ、１１・・操作台、１４・・ハンドル、１５・・安全カバー、１５Ａ・・内カバー、１５Ｂ・・外カバー、１７・・リンク、３０・・安全カバーロック機構、３１・・ロックレバー、３２・・操作レバー、３３・・下ボス、３４，３７，４５・・ネジ、３５・・軸、３６・・長孔、３８・・上ボス、３９，５０・・トーションスプリング、４０・・係止凹部、４２・・中間軸、４３・・揺動プレート、４４・・操作プレート、４７・・透孔、４８・・ピン、５１・・係止突起。
【図１】
2012076192.tif 000003
【図２】
2012076192.tif 000004
【図３】
2012076192.tif 000005
【図４】
2012076192.tif 000006
【図５】
2012076192.tif 000007
【図６】
2012076192.tif 000008